(57)【特許請求の範囲】
【請求項１】
入力端に入力された交流の系統電圧に基づいて蓄電池を充電する一方、前記系統電圧とは電圧値の異なる交流の自立出力電圧を出力端から出力する蓄電装置であって、
前記系統電圧を直流化して蓄電池に供給する機能と、前記蓄電池の放電電圧から前記自立出力電圧を生成して出力する機能とを有する電圧変換部と、
前記電圧変換部を収納する導電性の筐体部と、
一端が前記筐体部に電気的に接続され、他端が分電盤のフレームグランド端子に接続されるアース線と、
前記アース線に介装されたノイズ抑制部と、
前記アース線の他端と前記出力端の接地側とを電気的に接続する第１配線に介装された第１スイッチ部と、
前記入力端に前記系統電圧が入力されているか否かに応じて、前記第１スイッチ部の導通状態と非導通状態とを切り替える制御部と、を備えた
ことを特徴とする蓄電装置。
【請求項２】
前記制御部は、前記入力端に前記系統電圧が入力されている場合、前記第１スイッチ部を非導通状態にする一方、前記入力端に前記系統電圧が入力されていない場合、前記第１スイッチ部を導通状態にする
ことを特徴とする請求項１に記載の蓄電装置。
【請求項３】
前記入力端は、単相三線式電力系統の第１電圧線に接続される第１入力端と、第２電圧線に接続される第２入力端と、中性線に接続される第３入力端とを含み、
前記アース線の他端と前記第３入力端とを電気的に接続する第２配線に介装された第２スイッチ部をさらに備え、
前記制御部は、前記入力端に前記系統電圧が入力されている場合、前記第２スイッチ部を非導通状態にする一方、前記入力端に前記系統電圧が入力されていない場合、前記第２スイッチ部を導通状態にする
ことを特徴とする請求項２に記載の蓄電装置。
【請求項４】
前記第１入力端と前記第３入力端との間に接続された第１コンデンサと、
前記第２入力端と前記第３入力端との間に接続された第２コンデンサと、
をさらに備えた、
ことを特徴とする請求項３に記載の蓄電装置。
【請求項５】
前記入力端と前記電圧変換部とを電気的に接続する第３配線に介装された第３スイッチ部と、
前記第２入力端および前記第３入力端と前記出力端とを電気的に接続する第４配線に介装された第４スイッチ部と、
前記第３スイッチ部と前記電圧変換部との間において前記第３配線から分岐し、前記出力端に電気的に接続される第５配線に介装された第５スイッチ部と、を備え、
前記制御部は、前記入力端に前記系統電圧が入力されている場合、前記第３スイッチ部および前記第４スイッチ部を導通状態にするとともに前記第５スイッチ部を非導通状態にする一方、前記入力端に前記系統電圧が入力されていない場合、前記第３スイッチ部および前記第４スイッチ部を非導通状態にするとともに前記第５スイッチ部を導通状態にする
ことを特徴とする請求項３または４に記載の蓄電装置。
【請求項６】
前記ノイズ抑制部は、コイルを含み、
前記コイルは、コアに前記アース線の一部を巻き付けたものである
ことを特徴とする請求項１〜５のいずれか一項に記載の蓄電装置。
【発明の詳細な説明】
【技術分野】
【０００１】
本発明は、蓄電装置に関する。
【背景技術】
【０００２】
従来の蓄電装置としては、例えば、特許文献１に記載のものや、図３に示す蓄電装置１Ｂが知られている。蓄電装置１Ｂは、蓄電池２と、パワーコンディショナー（ＰＣＳ）３’と、蓄電池２およびパワーコンディショナー３’を収納する導電性のシャーシ４と、一端がシャーシ４に接続されるとともに他端が分電盤のＦＧ端子（フレームグランド端子）に接続されるアース線５と、を備えている。
【０００３】
パワーコンディショナー３’は、電圧変換部３ａと、電圧変換部３ａを制御する制御部３ｂ’とを備えている。電圧変換部３ａは、単相三線式電力系統の系統電圧（例えば、ＡＣ２００［Ｖ］）を直流化して蓄電池２に供給する機能と、蓄電池２の放電電圧から自立出力電圧（例えば、ＡＣ１００［Ｖ］）を生成して出力する機能とを有する。
【０００４】
蓄電装置１Ｂは、系統電圧が入力される入力端Ｔ１、Ｔ２、Ｔ３と、自立出力電圧が出力される出力端Ｔ４、Ｔ５と、分電盤のＦＧ端子に接続される接続端Ｔ６（アース線５の他端）と、を備えている。入力端Ｔ１、Ｔ２、Ｔ３とパワーコンディショナー３’とを電気的に接続する配線１３には、リレーＳ３が介装されている。入力端Ｔ２、Ｔ３と出力端Ｔ４、Ｔ５とを電気的に接続する配線１４には、リレーＳ４が介装されている。リレーＳ３よりもパワーコンディショナー３’側において、配線１３のＵ相およびＷ相と出力端Ｔ４、Ｔ５とを電気的に接続する配線１５には、リレーＳ５が介装されている。配線１５のＮ側（出力端Ｔ５側）とシャーシ４とを接続する配線１６には、リレーＳ６が介装されている。リレーＳ３〜Ｓ６は、制御部３ｂ’の制御下で、それぞれ独立に導通状態（ＯＮ）と非導通状態（ＯＦＦ）とが切り替わる。
【０００５】
具体的には、入力端Ｔ１、Ｔ２、Ｔ３に系統電圧が入力されている場合、すなわち通電時の場合、制御部３ｂ’は、リレーＳ３、Ｓ４を導通状態にするとともにリレーＳ５、Ｓ６を非導通状態にする。これにより、蓄電装置１Ｂは、出力端Ｔ４、Ｔ５から自立出力電圧を出力しつつ、パワーコンディショナー３’により単相三線式電力系統から供給される低価格の深夜電力を利用して蓄電池２を充電したり、電力料金の高い昼間に蓄電池２を放電させたりすることができる。
【０００６】
一方、入力端Ｔ１、Ｔ２、Ｔ３に系統電圧が入力されていない場合、すなわち停電時の場合、制御部３ｂ’は、リレーＳ３、Ｓ４を非導通状態にするとともにリレーＳ５、Ｓ６を導通状態にする。これにより、蓄電装置１Ｂは、蓄電池２の放電電圧から生成した自立出力電圧を出力端Ｔ４、Ｔ５から出力することができる。出力端Ｔ４、Ｔ５には、停電時でも使用したい負荷（例えば、冷蔵庫等の家電製品）が接続される。
【０００７】
また、蓄電装置１Ｂでは、上述したように停電時にリレーＳ６を導通状態とし、配線１５のＮ側（出力端Ｔ５側）をシャーシ４およびアース線５を介して分電盤のＦＧ端子に接続している。これにより、蓄電装置１Ｂでは、停電時であっても通電時と同様に配線１５のＮ側が接地されるので、利用者の安全を確保することができる。なお、通電時は、単相三線式電力系統のＯ相が系統側で接地されるので、リレーＳ６が非導通状態であっても配線１５のＮ側は接地される。
【先行技術文献】
【特許文献】
【０００８】
【特許文献１】特開２０１３−１６５６２４号公報
【発明の概要】
【発明が解決しようとする課題】
【０００９】
ところで、上記従来の蓄電装置１Ｂでは、パワーコンディショナー３’で発生するノイズがシャーシ４からＦＧ端子に流出するのを防ぐために、アース線５にコイルＬ１を介装している。
【００１０】
しかしながら、蓄電装置１Ｂでは、通電時にパワーコンディショナー３’に入力される系統電圧（例えば、ＡＣ２００［Ｖ］）と停電時にパワーコンディショナー３’が出力する自立出力電圧（例えば、ＡＣ１００［Ｖ］）の電圧値が異なるため、パワーコンディショナー３’で発生するノイズは通電時と停電時で成分が異なる。ここで、ノイズとは雑音端子電圧のことであり、蓄電装置１Ｂでは、雑音端子電圧を定められた規格値以下にする必要がある。
【００１１】
図４（Ａ）は、蓄電装置１Ｂにおける通電時の系統側雑音端子電圧を示す図である。図４（Ｂ）は、蓄電装置１ＢからコイルＬ１を削除した場合における通電時の系統側雑音端子電圧を示す図である。図５（Ａ）は、蓄電装置１Ｂにおける停電時の自立出力側雑音端子電圧を示す図である。図５（Ｂ）は、蓄電装置１ＢからコイルＬ１を削除した場合における停電時の自立出力側雑音端子電圧を示す図である。図４（Ａ）、図４（Ｂ）、図５（Ａ）および図５（Ｂ）では、雑音端子電圧の測定値（ピーク値および平均値）とともに、規格値である準尖頭値（ＱＰ）および平均値（ＡＶ）を示している。
【００１２】
図４（Ａ）では、雑音端子電圧の全測定値が、規格値である準尖頭値（ＱＰ）および平均値（ＡＶ）以下になっているのに対して、図４（Ｂ）では、一部の周波数帯域における雑音端子電圧の測定値が規定値を超えている。また、図５（Ａ）では、一部の周波数帯域における雑音端子電圧の測定値が規定値を超えているのに対して、図５（Ｂ）では、雑音端子電圧の全測定値が規定値以下になっている。
【００１３】
すなわち、蓄電装置１Ｂでは、コイルＬ１が設けられていることで、図４（Ａ）に示すように通電時に系統側雑音端子電圧が規格値以下になる反面、図５（Ａ）に示すように停電時には自立出力側雑音端子電圧が規格値を超えてしまうという問題がある。換言すれば、蓄電装置１Ｂでは、通電時にパワーコンディショナー３’から系統側に流出するノイズを抑制するためには、図４（Ａ）に示すようにコイルＬ１が有効であるが、停電時にパワーコンディショナー３’から自立出力側に流出するノイズを抑制するためには、図５（Ｂ）に示すようにコイルＬ１がない方が良いという問題がある。
【００１４】
なお、蓄電装置１Ｂでは、停電時の系統側雑音端子電圧も規格値以下にする必要があるが、パワーコンディショナー３’で発生するノイズが大きいと、リレーＳ３が非導通状態であってもリレーＳ３の接点間をノイズが伝搬する場合があり、この場合、停電時の系統側雑音端子電圧を規格値以下にするのは困難になる。
【００１５】
本発明は上記事情に鑑みてなされたものであって、その課題とするところは、通電時および停電時の雑音端子電圧を低減することが可能な蓄電装置を提供することにある。
【課題を解決するための手段】
【００１６】
上記課題を解決するために、本発明に係る蓄電装置は、
入力端に入力された交流の系統電圧に基づいて蓄電池を充電する一方、系統電圧とは電圧値の異なる交流の自立出力電圧を出力端から出力する蓄電装置であって、
系統電圧を直流化して蓄電池に供給する機能と、蓄電池の放電電圧から自立出力電圧を生成して出力する機能とを有する電圧変換部と、
電圧変換部を収納する導電性の筐体部と、
一端が筐体部に電気的に接続され、他端が分電盤のフレームグランド端子に接続されるアース線と、
アース線に介装されたノイズ抑制部と、
アース線の他端と出力端の接地側とを電気的に接続する第１配線に介装された第１スイッチ部と、
入力端に系統電圧が入力されているか否かに応じて、第１スイッチ部の導通状態と非導通状態とを切り替える制御部と、を備えたことを特徴とする。
【００１７】
この構成によれば、通電時と停電時とで第１スイッチ部の導通状態と非導通状態とを切り替えることにより、ノイズ抑制部を介して筐体部を分電盤のＦＧ端子に接続したり、ノイズ抑制部を介することなく出力端の接地側をＦＧ端子に接続したりすることができる。したがって、この構成によれば、通電時または停電時のうちノイズ抑制部が有効に機能するときにノイズ抑制部を介して筐体部をＦＧ端子に接続する一方、ノイズ抑制部が有効に機能しない（ノイズ抑制部がない方がよい）ときにノイズ抑制部を介することなく出力端の接地側をＦＧ端子に接続することで、通電時の系統側雑音端子電圧および停電時の自立出力側雑音端子電圧を低減することが可能になる。
【００１８】
上記蓄電装置では、制御部は、入力端に系統電圧が入力されている場合、第１スイッチ部を非導通状態にする一方、入力端に系統電圧が入力されていない場合、第１スイッチ部を導通状態にするよう構成できる。
【００１９】
この構成によれば、通電時にノイズ抑制部が有効に機能し、停電時にノイズ抑制部が有効に機能しない場合に、通電時の系統側雑音端子電圧および停電時の自立出力側雑音端子電圧を低減することが可能になる。
【００２０】
上記蓄電装置では、入力端は、単相三線式電力系統の第１電圧線に接続される第１入力端と、第２電圧線に接続される第２入力端と、中性線に接続される第３入力端とを含み、
アース線の他端と第３入力端とを電気的に接続する第２配線に介装された第２スイッチ部をさらに備え、
制御部は、入力端に系統電圧が入力されている場合、第２スイッチ部を非導通状態にする一方、入力端に系統電圧が入力されていない場合、第２スイッチ部を導通状態にすることが好ましい。
【００２１】
この構成によれば、中性線（Ｏ相）に接続される第３入力端は、通電時は分電盤のＦＧ端子に接続されず、停電時に分電盤のＦＧ端子に接続される。したがって、この構成によれば、停電時に系統側（Ｏ相）の雑音端子電圧を低減することが可能になる。
【００２２】
上記蓄電装置は、第１入力端と第３入力端との間に接続された第１コンデンサと、
第２入力端と第３入力端との間に接続された第２コンデンサと、
をさらに備えることが好ましい。
【００２３】
この構成によれば、第１入力端−第３入力端間（Ｕ相−Ｏ相間）に第１コンデンサが接続され、第２入力端−第３入力端間（Ｗ相−Ｏ相間）に第２コンデンサが接続されるので、停電時にＯ相が分電盤のＦＧ端子に接続された場合、Ｕ相およびＷ相も交流的にＦＧ端子に接続される。したがって、この構成によれば、停電時に系統側（Ｕ相およびＷ相）の雑音端子電圧を低減することが可能になる。
【００２４】
上記蓄電装置では、入力端と電圧変換部とを電気的に接続する第３配線に介装された第３スイッチ部と、
第２入力端および第３入力端と出力端とを電気的に接続する第４配線に介装された第４スイッチ部と、
第３スイッチ部と電圧変換部との間において第３配線から分岐し、出力端に電気的に接続される第５配線に介装された第５スイッチ部と、を備え、
制御部は、入力端に系統電圧が入力されている場合、第３スイッチ部および第４スイッチ部を導通状態にするとともに第５スイッチ部を非導通状態にする一方、入力端に系統電圧が入力されていない場合、第３スイッチ部および第４スイッチ部を非導通状態にするとともに第５スイッチ部を導通状態にするよう構成できる。
【００２５】
この構成によれば、第３スイッチ部、第４スイッチ部および第５スイッチ部を制御することで、通電時に、自立出力電圧を出力しつつ、単相三線式電力系統から供給される低価格の深夜電力を利用して蓄電池を充電したり、電力料金の高い昼間に蓄電池を放電させたりすることができ、停電時に、蓄電池の放電電圧から生成した自立出力電圧を出力端から出力することができる。
【００２６】
上記蓄電装置では、ノイズ抑制部は、コイルを含み、
コイルは、コアにアース線の一部を巻き付けたものであってもよい。
【発明の効果】
【００２７】
本発明によれば、通電時および停電時の雑音端子電圧を低減することが可能な蓄電装置を提供することができる。
【図面の簡単な説明】
【００２８】
【図１】本発明に係る蓄電装置のブロック図である。
【図２】（Ａ）は、本発明の蓄電装置における停電時の系統側雑音端子電圧を示す図である。（Ｂ）は、本発明の蓄電装置においてＯ相をＦＧ端子に接続しない場合における停電時の系統側雑音端子電圧を示す図である。
【図３】従来の蓄電装置のブロック図である。
【図４】（Ａ）は、従来の蓄電装置における通電時の系統側雑音端子電圧を示す図である。（Ｂ）は、従来の蓄電装置からコイルＬ１を削除した場合における通電時の系統側雑音端子電圧を示す図である。
【図５】（Ａ）は、従来の蓄電装置における停電時の自立出力側雑音端子電圧を示す図である。（Ｂ）は、従来の蓄電装置からコイルＬ１を削除した場合における停電時の自立出力側雑音端子電圧を示す図である。
【発明を実施するための形態】
【００２９】
以下、添付図面を参照して、本発明に係る蓄電装置の実施形態について説明する。
【００３０】
図１に、本発明の一実施形態に係る蓄電装置１Ａを示す。同図に示すように、蓄電装置１Ａは、蓄電池２と、パワーコンディショナー（ＰＣＳ）３と、シャーシ４と、アース線５と、ノイズ抑制部６と、を備えている。なお、図１に示されている各構成要素のうち、図３と同一の符号を付した構成要素については従来技術で説明したものと同様なので、ここでは説明を一部省略する。
【００３１】
蓄電池２は、充放電を繰り返し行うことができるように構成された二次電池を、複数個（例えば、６個）直列接続してユニット化したものである。蓄電池２は、パワーコンディショナー３に接続されている。
【００３２】
パワーコンディショナー３は、電圧変換部３ａと、電圧変換部３ａを制御する制御部３ｂとを備えている。電圧変換部３ａは、単相三線式電力系統の系統電圧（例えば、ＡＣ２００［Ｖ］）を直流化して蓄電池２に供給する機能と、蓄電池２の放電電圧から自立出力電圧（例えば、ＡＣ１００［Ｖ］）を生成して出力する機能とを有する。電圧変換部３ａは、例えば、双方向ＤＣ／ＤＣコンバータと双方向インバータとで構成される。双方向ＤＣ／ＤＣコンバータは、入力された直流電圧を降圧する降圧動作と、入力された直流電圧を昇圧する昇圧動作とを行う。双方向インバータは、入力された直流電圧を交流電圧に変換するＤＣ／ＡＣ変換動作と、入力された交流電圧を直流電圧に変換するＡＣ／ＤＣ変換動作とを行う。制御部３ｂは、例えば、マイコンで構成される。
【００３３】
シャーシ４は、蓄電池２、パワーコンディショナー３、および後述するリレーＳ１〜Ｓ５やコンデンサＣ１、Ｃ２が搭載された回路基板等を収納する導電性（金属製）のフレームである。シャーシ４は、本発明の「筐体部」に相当する。
【００３４】
アース線５は、一端がシャーシ４に接続され、他端（接続端Ｔ６）が分電盤のＦＧ端子（フレームグランド端子）に接続される。アース線５には、ノイズ抑制部６が介装されている。
【００３５】
ノイズ抑制部６は、パワーコンディショナー３で発生するノイズがシャーシ４からＦＧ端子に流出するのを防ぐために設けられたものであり、コイルＬ１を含む。コイルＬ１は、例えば、コアにアース線５の一部を巻き付けることで形成される。
【００３６】
蓄電装置１Ａは、単相三線式電力系統の系統電圧が入力される入力端Ｔ１、Ｔ２、Ｔ３と、自立出力電圧が出力される出力端Ｔ４、Ｔ５と、アース線５の他端である接続端Ｔ６と、を備えている。入力端Ｔ１は、本発明の「第１入力端」に相当し、単相三線式電力系統の第１電圧線（Ｕ相）に接続される。入力端Ｔ２は、本発明の「第２入力端」に相当し、単相三線式電力系統の第２電圧線（Ｗ相）に接続される。入力端Ｔ３は、本発明の「第３入力端」に相当し、単相三線式電力系統の中性線（Ｏ相）に接続される。出力端Ｔ４は、非接地側（Ｌ側）の端子であり、出力端Ｔ５は、接地側（Ｎ側）の端子である。出力端Ｔ４、Ｔ５には、停電時でも使用したい負荷（例えば、冷蔵庫等の家電製品）が接続される。
【００３７】
出力端Ｔ５と接続端Ｔ６とを電気的に接続する第１配線１１には、本発明の「第１スイッチ部」に相当するリレーＳ１が介装されている。入力端Ｔ３と接続端Ｔ６とを電気的に接続する第２配線１２には、本発明の「第２スイッチ部」に相当するリレーＳ２が介装されている。入力端Ｔ１、Ｔ２、Ｔ３とパワーコンディショナー３とを電気的に接続する第３配線１３には、本発明の「第３スイッチ部」に相当するリレーＳ３が介装されている。リレーＳ３よりも入力端Ｔ１、Ｔ２、Ｔ３側において、第３配線１３のＷ相およびＯ相と出力端Ｔ４、Ｔ５とを電気的に接続する第４配線１４には、本発明の「第４スイッチ部」に相当するリレーＳ４が介装されている。リレーＳ３よりもパワーコンディショナー３側において、第３配線１３のＵ相およびＷ相と出力端Ｔ４、Ｔ５とを電気的に接続する第５配線１５には、本発明の「第５スイッチ部」に相当するリレーＳ５が介装されている。
【００３８】
また、蓄電装置１Ａは、入力端Ｔ１、Ｔ２、Ｔ３のそれぞれの電圧値を測定する電圧測定手段（例えば、電圧センサ）を備えている。電圧測定手段は、所定の周期で測定結果をパワーコンディショナー３の制御部３ｂに出力する。制御部３ｂは、電圧測定手段の測定結果に基づいて、入力端Ｔ１、Ｔ２、Ｔ３に系統電圧が入力されている「通電時」であるか、入力端Ｔ１、Ｔ２、Ｔ３に系統電圧が入力されていない「停電時」であるかを判断し、リレーＳ１〜Ｓ５の導通状態（ＯＮ）と非導通状態（ＯＦＦ）とをそれぞれ独立に切り替える。
【００３９】
具体的には、通電時の場合、制御部３ｂは、リレーＳ３、Ｓ４を導通状態にするとともにリレーＳ１、Ｓ２、Ｓ５を非導通状態にする。これにより、分電盤のＦＧ端子は、接続端Ｔ６からノイズ抑制部６のコイルＬ１を介してシャーシ４に接続される。したがって、蓄電装置１Ａでは、従来の蓄電装置１Ｂと同様、通電時にコイルＬ１が有効に機能し、通電時の系統側雑音端子電圧を所定の規格値以下に抑制することができる。
【００４０】
一方、停電時の場合、制御部３ｂは、リレーＳ１、Ｓ２、Ｓ５を導通状態にするとともにリレーＳ３、Ｓ４を非導通状態にする。これにより、出力端Ｔ５に接続される第５配線１５のＮ側は、リレーＳ１が介装された第１配線１１および接続端Ｔ６を介して分電盤のＦＧ端子に接続される。したがって、蓄電装置１Ａでは、従来の蓄電装置１ＢからコイルＬ１を削除した場合と同様に、停電時の自立出力側雑音端子電圧を所定の規格値以下に抑制することができる。
【００４１】
また、蓄電装置１Ａでは、停電時の場合、上述したようにリレーＳ２が導通状態になることから、入力端Ｔ３に接続された第３配線１３のＯ相は、リレーＳ２が介装された第２配線１２および接続端Ｔ６を介して分電盤のＦＧ端子に接続される。したがって、蓄電装置１Ａでは、停電時の系統側（Ｏ相）の雑音端子電圧を低減することができる。
【００４２】
さらに、蓄電装置１Ａでは、入力端Ｔ１−入力端Ｔ３間（Ｕ相−Ｏ相間）に本発明の「第１コンデンサ」に相当するコンデンサＣ１が接続され、入力端Ｔ２−入力端Ｔ３間（Ｗ相−Ｏ相間）に本発明の「第２コンデンサ」に相当するコンデンサＣ２が接続されているので、停電時に、単相三線式電力系統のＯ相が分電盤のＦＧ端子に接続されると、単相三線式電力系統のＵ相およびＷ相も交流的にＦＧ端子に接続される。したがって、蓄電装置１Ａでは、停電時の系統側（Ｕ相およびＷ相）の雑音端子電圧を低減することができる。
【００４３】
図２（Ａ）に、蓄電装置１Ａにおける停電時の系統側雑音端子電圧を示し、図２（Ｂ）に、単相三線式電力系統のＯ相が分電盤のＦＧ端子に接続されていない蓄電装置における停電時の系統側雑音端子電圧を示す。図２（Ａ）では、雑音端子電圧の全測定値が、規格値である準尖頭値（ＱＰ）および平均値（ＡＶ）以下になっているのに対して、図２（Ｂ）では、一部の周波数帯域における雑音端子電圧の測定値が規定値を超えている。このことから、停電時に単相三線式電力系統のＯ相を分電盤のＦＧ端子に接続することにより、停電時の系統側雑音端子電圧が低減されることが分かる。
【００４４】
以上、本発明に係る蓄電装置の実施形態について説明したが、本発明は上記実施形態に限定されるものではない。
【００４５】
例えば、ノイズ抑制部６は、アース線５に介装することができ、パワーコンディショナー３で発生するノイズがシャーシ４からＦＧ端子に流出するのを防ぐことができるのであれば、適宜構成を変更することができる。
【００４６】
パワーコンディショナー３の電圧変換部３ａは、系統電圧を直流化して蓄電池２に供給する機能と、蓄電池２の放電電圧から自立出力電圧を生成して出力する機能とを有するものであれば、適宜構成を変更することができる。
【００４７】
第１スイッチ部（リレーＳ１）以外のスイッチ部は、本発明に係る蓄電装置が系統電圧に基づいて蓄電池２を充電する一方、蓄電池２の放電電圧から生成した自立出力電圧を出力できるのであれば、適宜追加したり削除したりすることができる。また、スイッチ部として、リレー以外のものを用いることもできる。
【００４８】
上記実施形態に係る蓄電装置１Ａでは、通電時にノイズ抑制部６が有効に機能し、停電時にノイズ抑制部６が有効に機能しない（ノイズ抑制部６がない方がよい）ため、停電時にリレーＳ１を導通状態にして、第５配線１５のＮ側をノイズ抑制部６が介装された経路とは別の経路で分電盤のＦＧ端子に接続しているが、停電時にノイズ抑制部６が有効に機能し、通電時にノイズ抑制部６が有効に機能しない蓄電装置の場合は、通電時に、リレーＳ１を導通状態にして、ノイズ抑制部６を介さない経路で第５配線１５のＮ側を分電盤のＦＧ端子に接続するよう構成できる。
【００４９】
上記実施形態に係る蓄電装置１Ａでは、制御部３ｂが電圧変換部３ａの制御とリレーＳ１〜Ｓ５の制御とを行っているが、電圧変換部３ａの制御を行う制御部と、リレーＳ１〜Ｓ５の制御を行う制御部とを別々に設けてもよい。制御部を別々に設ける場合、リレーＳ１〜Ｓ５の制御を行う制御部は、必ずしもパワーコンディショナー３内に設ける必要はない。
【００５０】
上記実施形態では、蓄電池２が蓄電装置１Ａに含まれているが、蓄電池２は、本発明に係る蓄電装置とは別に設けられていてもよい。
【符号の説明】
【００５１】
１Ａ    蓄電装置
２    蓄電池
３    パワーコンディショナー
３ａ    電圧変換部
３ｂ    制御部
４    シャーシ（筐体部）
５    アース線
６    ノイズ抑制部
１１    第１配線
１２    第２配線
１３    第３配線
１４    第４配線
１５    第５配線
【図１】
0006319846.tif 000002
【図２】
0006319846.tif 000003
【図３】
0006319846.tif 000004
【図４】
0006319846.tif 000005
【図５】
0006319846.tif 000006